(57)【要約】【課題】脱衣場等において、乳房を切除したことが外部からわからないようにする胸パッド付き肩掛けを提供する。【解決手段】布状部材１０の中央部１１を首Ｎの後ろに掛けて、端部１２を肩Ｓから前側に回して左右の胸の前にたらす。布状部材１０の裏面（胸に接触する面）における乳房に対応する位置に、あらかじめ、乳房の形状を燃した胸パッド２０を取り付けておく。外側からは、乳房に対応する部分が健常者と同様に盛り上がって見え、自然なシルエットとなる。【選択図】図１
0003131615.tif 000002
【実用新案登録請求の範囲】
【請求項１】
長手方向の中央部近傍を首に掛け、一方の端部を左胸の前に垂らし、他方の端部を右胸の前に垂らして使用する布状部材と、
使用状態において前記布状部材の胸に接触する側の面における乳房に対応する所定位置に保持された、乳房を模した胸パッド、とを備えた、胸パッド付き肩掛け。
【請求項２】
面ファスナを構成する係脱可能な一方の面部材と他方の面部材とのうちの、前記所定位置に配設された前記一方の面部材と、
前記胸パッドの外面に配設された前記他方の面部材と、を備え、
前記一方の面部材に対して前記他方の面部材をくっ付けたり剥がしたりすることで、前記布状部材に対して前記胸パッドを着脱する、
ことを特徴とする請求項１に記載の胸パッド付き肩掛け。
【請求項３】
前記一方の面部材を、大きめに形成して、前記胸パッドを装着する位置を調整可能とした、
ことを特徴とする請求項２に記載の胸パッド付き肩掛け。
【請求項４】
前記布状部材における首に対応する部分を絞って狭く形成した、
ことを特徴とする請求項１ないし３のいずれか１項に記載の胸パッド付き肩掛け。
【請求項５】
前記布状部材における端部近傍を絞るための紐部材が配設されている、
ことを特徴とする請求項１ないし４のいずれか１項に記載の胸パッド付き肩掛け。
【請求項６】
前記布状部材の端部に装飾布が設けてある、
ことを特徴とする請求項１ないし５のいずれか１項に記載の胸パッド付き肩掛け。
【請求項７】
前記布状部材の端部にレースが設けてある、
ことを特徴とする請求項１ないし５のいずれか１項に記載の胸パッド付き肩掛け。
【考案の詳細な説明】
【技術分野】
【０００１】
本考案は、乳癌等によって乳房を切除した女性が首から掛けて使用する胸パッド付き肩掛けに関する。
【背景技術】
【０００２】
特許文献１に、乳癌等の手術によって乳房を切除した女性がつけるブラジャーが提案されている。このものは、ブラジャーのカップ部の内面側に、切除した乳房を補うような形状の胸パッドを入れて、周囲から乳房を切除したことがわからないようにするものである。
【特許文献１】実用新案登録第３１１８２２７号
【考案の開示】
【考案が解決しようとする課題】
【０００３】
しかしながら、上述の特許文献１のものは、使用できない場面がある。例えば、公衆浴場や温泉の脱衣場では、ブラジャー等の下着はつけていないため、脱衣場から洗い場までを行き来する間や、湯上がり後に脱衣場でリラックスする場合などは、乳房が切除されていることが人目についてしまう。ここで、例えば、湯上がりタオル等を首から掛けてその両端を胸の前にたらすことで、隠すことは可能ではある。ただし、この場合、湯上がりタオルが乳房が切除された胸に倣って、不自然に平たく垂れ下がることになり、他人の目には違和感をもって映る。また、洗い場において、体を洗う際に、乳房が切除されたことを隠すために胸を手で覆ったり、小形のタオルで覆ったりするため、一方の手しか使うことができない、という問題もある。
【０００４】
そこで、本考案は、脱衣場や洗い場等において使用することで、健常者と差異のない外観のシルエットを創り出しことができ、また、洗い場で体を洗うような場合等に、両方の手を自由に使うことができるようにした胸パッド付き肩掛けを提供することを目的とするものである。
【課題を解決するための手段】
【０００５】
請求項１に係る考案は、長手方向の中央部近傍を首に掛け、一方の端部を左胸の前に垂らし、他方の端部を右胸の前に垂らして使用する布状部材と、使用状態において前記布状部材の胸に接触する側の面における乳房に対応する所定位置に保持された、乳房を模した胸パッド、とを備えた、胸パッド付き肩掛けであることを特徴とを特徴としている。
【０００６】
請求項２に係る考案は、請求項１に記載の胸パッド付き肩掛けにおいて、面ファスナを構成する係脱可能な一方の面部材と他方の面部材とのうちの、前記所定位置に配設された前記一方の面部材と、前記胸パッドの外面に配設された前記他方の面部材と、を備え、前記一方の面部材に対して前記他方の面部材をくっ付けたり剥がしたりすることで、前記布状部材に対して前記胸パッドを着脱する、ことを特徴としている。
【０００７】
請求項３に係る考案は、請求項２に係る胸パッド付き肩掛けにおいて、前記一方の面部材を、大きめに形成して、前記胸パッドを装着する位置を調整可能とした、ことを特徴としている。
【０００８】
請求項４に係る考案は、請求項１ないし３のいずれか１項に係る胸パッド付き肩掛けにおいて、前記布状部材における首に対応する部分を絞って狭く形成した、ことを特徴としている。
【０００９】
請求項５に係る考案は、請求項１ないし４のいずれか１項に係る胸パッド付き肩掛けにおいて、前記布状部材における端部近傍を絞るための紐部材が配設されている、ことを特徴としている。
【００１０】
請求項６に係る考案は、請求項１ないし５のいずれか１項に係る胸パッド付き肩掛けにおいて、前記布状部材の端部に装飾布が設けてある、ことを特徴としている。
【００１１】
請求項７に係る考案は、請求項１ないし５のいずれか１項に係る胸パッド付き肩掛けにおいて、前記布状部材の端部にレースが設けてある、ことを特徴としている。
【考案の効果】
【００１２】
請求項１の考案によれば、布状部材を首に掛けて両端をそれぞれ左右の胸の前に垂らしたときに、乳房に対応する位置に胸パッドが位置するので、布状部材の外側は、乳房を除去したことがわからない自然なシルエットとなる。また、洗い場等において、手や小形のタオルで胸を隠す必要がなくなるので、両方の手を自由に使って体を洗ったりすることが可能となる。
【００１３】
請求項２の考案によれば、胸パッドは、面ファスナにより、布状部材に対して着脱自在となるので、簡単に位置調整することができる。
【００１４】
請求項３の考案によれば、胸パッドは、布状部材に対して大きく位置を調整することができるので、多くの人に容易に適用することができる。
【００１５】
請求項４の考案によれば、首に対応する部分が絞ってあるので、布状部材のうちの、胸にかかる部分に、適度な膨らみを作ることができ、また、絞ってある部分を首に合わせることで、胸パッドの位置をほぼ乳房の位置に合わせることができる。
【００１６】
請求項５の考案によれば、布状部材の端部近傍を紐部材によって絞ることにより、胸にかかる部分に、さらに、適度な膨らみを作ることができる。
【００１７】
請求項６の考案によれば、装飾布を設けることで美粧性を向上させるとともに、他人の目を胸元からそらせて、装飾布に向けることができる。
【００１８】
請求項７の考案によれば、レースを設けることで美粧性を向上させるとともに、他人の目を胸元からそらせて、レースに向けることができる。
【考案を実施するための最良の形態】
【００１９】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２０】
図１，図２，図３を参照して、本実施形態に係る胸パッド付き肩掛け１について説明する。このうち、図１は、胸パッド付き肩掛け１の使用状態を、正面側から見た図である。図２は、同じく、左側から見た図である。図３は、同じく、背面側から見た図である。
【００２１】
これらの図に示すように、胸パッド付き肩掛け１は、布状部材１０と、胸パッド２０とを備えている。
【００２２】
布状部材１０としては、例えば、湯上りタオルを使用することができる。布状部材１０の長さは、その使用状態、すなわち布状部材１０の長さ方向の中央部１１を女性の首Ｎの後側にかけて、その左端部（一方の端部）１２及び右端部（他方の端部）１２をそれぞれ肩Ｓから正面側に回して、左胸及び右胸の前に垂らしたときに左端縁及び右端縁がほぼ腰の位置までくるような長さに設定されている。また、布状部材１０の幅については、身体の中心線から側部（脇の下）までを余裕をもって覆うことができる程度に設定されている。なお、布状部材１０としては、厚手のものを使用した場合の方が、薄手のものを使用した場合よりも、ボリューム感を出すことが容易であり、乳房が切除されていることをカムフラージュしやすい。
【００２３】
胸パッド２０は、図５（ａ），（ｂ）に示すように、乳房の形状に倣ったカップ状に形成されている。本実施形態では、例えば、その形状を維持できる程度の強度を有している。なお、本実施形態では、同図に示すような、面ファスナの他方の面部材（後述）１３ｂは、設けられていない。本実施形態では、胸パッド２０は、例えば、布状部材１０の裏面に糸を使用して縫いつけてある。すなわち、使用状態において布状部材１０の胸に接触する側の面（裏面）における乳房に対応する所定位置に縫い付けられている。この所定位置は、使用する女性によって異なるので、あらかじめその女性に好適な位置に位置決めするものとする。また、胸パッド２０の色については、使用する布状部材１０と同色又は同系統の色、あるいは肌と同じ肌色のものを使用することにより、胸パッド２０が取り付けられていることを、一層、目立たなくすることができる。
【００２４】
上述構成の胸パッド付き肩掛け１は、使用する女性が、布状部材１０の中央部１１を首Ｎに掛けて左端部１２及び右端部１２をそれぞれ左右の胸の前に垂らしたときに、乳房に対応する位置に胸パッド２０が位置するので、布状部材１０の外側は、乳房を除去したことがわからない自然なシルエットとなる。
＜実施形態２＞
【００２５】
図４，図５（ａ），（ｂ）を参照して、実施形態２に係る胸パッド付き肩掛け１について説明する。このうち、図４は、広げた状態の布状部材１０Ａの裏面側（胸パッド２０を付ける側）を示している。図５（ａ）は、左右、２個の胸パッド２０の正面図、（ｂ）は、右側面図を示す。
【００２６】
図４に示すように、布状部材１０Ａは、中央部１１を絞って縫い込むことでギャザー１１ａを設けるようにしている。また、左端部１２及び右端部１２には、それぞれ布状部材１０Ａの長手方向に沿って２列に、面ファスナの一方の面部材１３ａが取り付けられている。この一方の面部材１３ａは、図５に示す胸パッド２０に取り付けられた他方の面部材１３ｂとともに、係脱自在な面ファスナを構成するものである。２列の面部材１３ａは、布状部材１０Ａの幅方向のほぼ中央に配置されている。これら面部材１３ａは、長めに形成されていて、後述する胸パッド２０の取り付け位置を適宜に調整することができるようになっている。布状部材１０Ａにおける、面部材１３ａの外側の端部近傍には、幅方向の全幅に渡って、トンネル状に紐通し１４ａが形成されている。この紐通し１４ａには、紐部材１５ａが通されている。紐部材１５ａの両端部には結び目が形成されていて、一方の端部を引っ張ることにより、他方の端部の結び目が紐通し１４ａに引っかかり、さらに一方の端部を引っ張ることで、布状部材１０Ａにギャザーを形成して絞ることができる。
【００２７】
図５（ａ），（ｂ）に示すように、胸パッド２０は、乳房の形状に倣ったカップ上に形成されており、本実施形態では、表面側に、面ファスナの他方の面部材１３ｂが取り付けられている。この他方の面部材１３ｂを上述の布状部材１０Ａの一方の面部材１３ａに張り合わせることで、胸パッド２０を布状部材１０Ａの裏面側に簡単に取り付けることができる。また、逆に簡単に取り外すこともできる。
【００２８】
本実施形態では、面ファスナを利用して、胸パッド２０を布状部材１０Ａに取り付けるようにしているので、その着脱が容易である。また、位置調整が簡単に行えるので、同じ、胸パッド付き肩掛け１を、体格の異なる（乳房の位置の異なる）複数の女性が使用することが可能である。また、布状部材１０Ａの中央部１１にギャザー１１ａを設け、さらに、紐部材１５ａによって、布状部材１０Ａの端部を絞ることにより、布状部材１０Ａのうちの胸パッド２０が装着されている部分の近傍に、適度な膨らみを作ることができ、外部から見たときに、乳房を除去したことがわからない自然なシルエットを構成することができる。さらに、ギャザー１１ａを首Ｎに合わせることで、胸パッド２０の位置を容易にほぼ乳房の位置に合わせることができる。
＜実施形態３＞
【００２９】
図６を参照して、実施形態３に係る胸パッド付き肩掛け１について説明する。同図は、広げた状態の布状部材１０Ｂの裏面側（胸パッド２０を付ける側）を示している。なお、図４と同様な構成については、同じ符号を付して説明を適宜省略する。
【００３０】
本実施形態３では、布状部材１０Ｂの中央部１１を、布製の輪１１ｂを嵌めることで絞るようにしている。また、布状部材１０Ｂのそれぞれの端部１２の紐通し１４ｂを２列に形成して、ループ状の紐部材１５ｂを通すようにしている。これにより、ループ状の紐部材１５ｂの一方の端部を引っ張ることで、布状部材１０Ｂの端部１２に容易に絞りを形成することができる。また、本実施形態では、布状部材１０Ｂの端部１２における紐通し１４ｂよりも外側に位置する部分をレース１６で形成している。これにより、胸パッド付き肩掛け１の使用時の美粧性を向上させるとともに、他人の目を胸元からそらせて、レース１６に向けることができる。
＜実施形態４＞
【００３１】
図７を参照して、実施形態４に係る胸パッド付き肩掛け１について説明する。同図は、広げた状態の布状部材１０Ｃの裏面側（胸パッド２０を付ける側）を示している。なお、図４と同様な構成については、同じ符号を付して説明を適宜省略する。
【００３２】
本実施形態３では、布状部材１０Ｂの中央部１１にゴム部材１１ｃを入れることで、中央部１１を絞るようにしている。また、本実施形態では、布状部材１０Ｃの端部１２に装飾布１７を設けている。これにより、胸パッド付き肩掛け１の使用時の美粧性を向上させるとともに、他人の目を胸元からそらせて、装飾布１７に向けることができる。
＜実施形態５＞
【００３３】
図８を参照して、実施形態５に係る胸パッド付き肩掛け１について説明する。同図は、広げた状態の布状部材１０Ｄの裏面側（胸パッド２０を付ける側）を示している。なお、上述と同様な構成については、同じ符号を付して説明を適宜省略する。
【００３４】
本実施形態５では、布状部材１０Ｄのそれぞれの端部１２の紐通し１４ｂを２列に形成して、ループ状の紐部材１５ｂを２本通すようにしている。２本のループ状の紐部材１５のそれぞれ異なる側の端部を外側に引っ張ることで、布状部材１０Ｄの端部１２に容易に絞りを形成することができる。
【００３５】
上述の実施形態１〜５においては、左右双方の乳房を切除した場合について説明しているが、左側の乳房のみ又は右側の乳房のみを切除した場合には、布状部材１０，１０Ａ，１０Ｂ，１０Ｃ，１０Ｄにおけるその切除した側の胸に対応する一方に胸パッド２０を取り付けるようにすればよい。
【図面の簡単な説明】
【００３６】
【図１】実施形態１の胸パッド付き肩掛けの使用状態を、正面側から見た図である。
【図２】実施形態１の胸パッド付き肩掛けの使用状態を、左側から見た図である。
【図３】実施形態１の胸パッド付き肩掛けの使用状態を、背面側から見た図である。
【図４】実施形態２における、広げた状態の布状部材の裏面側を示している。
【図５】（ａ）は左右、２個の胸パッドの正面図、（ｂ）は右側面図である。
【図６】実施形態３における、広げた状態の布状部材の裏面側を示している。
【図７】実施形態４における、広げた状態の布状部材の裏面側を示している。
【図８】実施形態５における、広げた状態の布状部材の裏面側を示している。
【符号の説明】
【００３７】
１          胸パッド付き肩掛け
１０，１０Ａ，１０Ｂ，１０Ｃ，１０Ｄ
布状部材
１１        布状部材の中央部
１２        布状部材の左端部（一方の端部），右端部（他方の端部）
１３ａ      面ファスナの一方の面部材
１３ｂ      面ファスナの他方の面部材
１５ａ      紐部材
１６        レース
１７        装飾布
２０        パッド
Ｎ        首
Ｓ        肩
【図１】
0003131615.tif 000003
【図２】
0003131615.tif 000004
【図３】
0003131615.tif 000005
【図４】
0003131615.tif 000006
【図５】
0003131615.tif 000007
【図６】
0003131615.tif 000008
【図７】
0003131615.tif 000009
【図８】
0003131615.tif 000010